(57)【要約】【課題】ヒーターの加熱効率の低下を招くことなく、容器やターンテーブル等との接触から保護してヒーターの破損を防止する。【解決手段】前面が開口する加熱室２と、加熱室２の天面壁に加熱室２側に開口する凹部が形成され、凹部内にヒーター３１を収納するヒーター収納室３２と、ヒーター収納室３２内に収納される棒状のヒーター３１と、ヒーター収納室３２内に配置され、ヒーター３１を保護する２本の棒状のヒーターガード４１，５１とを備え、ヒーターガード４１，５１を、ガード部４２，５２がヒーター３１に略平行で且つヒーター３１をヒーター３１の長手方向に直交する方向に挟んで対向するように配置し、更にガード部４２，５２がヒーター３１よりも下方に位置するように配置したものである。【選択図】図３
2008106962.tif 000002
【特許請求の範囲】
【請求項１】
前面が開口する加熱室と、加熱室の天面壁に加熱室側に開口する凹部が形成され、該凹部内にヒーターを収納するヒーター収納室と、該ヒーター収納室内に収納される棒状のヒーターと、前記ヒーター収納室内に配置され、前記ヒーターを保護する２本の棒状のヒーターガードとを備え、
前記各ヒーターガードのそれぞれは、ガード部とガード部の両端からほぼ垂直に延出し前記ヒーター収納室の壁面に固定される一対の脚部とから構成されて全体コの字状に形成され、また、前記各ヒーターガードは、前記各ガード部が前記ヒーターに略平行で且つ前記ヒーターを該ヒーターの長手方向に直交する方向に挟むように対向配置され、更に前記各ガード部が前記ヒーターよりも下方に位置するように配置されていることを特徴とする加熱調理器。
【請求項２】
前記２本のヒーターガードのうち、前記ヒーターよりも前側に配置されたヒーターガードを前側ヒーターガード、前記ヒーターよりも奥側に配置されたヒーターガードを奥側ヒーターガードとしたとき、前記前側ヒーターガードのガード部と前記ヒーター収納室の前側の側壁面との最短距離が３０ｍｍ以下となるように配置し、前記奥側ヒーターガードのガード部が、前記ヒーターの外周と前記加熱室の底部に着脱自在に設けられる回転体の最奥部とを結ぶ接線よりも前面側に位置するように配置し、更に前記２本のヒーターガードの間隔が３０ｍｍ以下となるように配置したことを特徴とする請求項１記載の加熱調理器。
【請求項３】
前記加熱室にマイクロ波を供給するマイクロ波供給手段を備え、前記前側ヒーターガード及び前記奥側ヒーターガードのそれぞれの前記ガード部の長さを、前記マイクロ波発生手段から発するマイクロ波の波長の４分の１の略奇数倍としたことを特徴とする請求項１又は請求項２記載の加熱調理器。
【請求項４】
前記加熱室にマイクロ波を供給するマイクロ波供給手段を備え、前記前側ヒーターガード及び前記奥側ヒーターガードのそれぞれの前記脚部の長さを、前記マイクロ波発生手段から発するマイクロ波の波長の４分の１以下としたことを特徴とする請求項１又は請求項２記載の加熱調理器。
【請求項５】
前記加熱室にマイクロ波を供給するマイクロ波供給手段を備え、前記前側ヒーターガード及び前記奥側ヒーターガードのそれぞれの前記ガード部の長さを、前記マイクロ波発生手段から発するマイクロ波の波長の４分の１の略奇数倍とするとともに、前記前側ヒーターガード及び前記奥側ヒーターガードのそれぞれの前記脚部の長さを、前記マイクロ波発生手段から発するマイクロ波の波長の４分の１以下としたことを特徴とする請求項１又は請求項２記載の加熱調理器。
【請求項６】
前面が開口する加熱室と、加熱室の天面壁に加熱室側に開口する凹部が形成され、該凹部内にヒーターを収納するヒーター収納室と、該ヒーター収納室内に収納される棒状のヒーターと、前記ヒーター収納室内に配置され、前記ヒーターを保護するヒーターガードとを備え、
前記ヒーターガードは、棒状部材をコの字状に交互に逆向きに折り曲げて形成されたガード部と、ガード部の両端からほぼ垂直に延出する一対の脚部とから構成されて全体ほぼコの字状に形成され、前記一対の脚部の先端が前記ヒーター収納室の壁面に固定され、前記ガード部が前記ヒーターよりも下方に位置して前記ヒーターに対向するように配置されていることを特徴とする加熱調理器。
【請求項７】
前記ヒーターガードの前記ガード部のうち、前記ヒーターの長手方向と直交する方向に延びる部分を第１ガード部とし、前記ヒーターの長手方向に延びる部分を第２ガード部としたとき、前記ヒーターガードの手前側の第２ガード部と前記ヒーター収納室の前面側の側壁面との最短距離が３０ｍｍ以下となるように配置され、また、前記ヒーターガードの奥側の第２ガード部が、前記ヒーターの外周と前記加熱室の底部に着脱自在に設けられる回転体の最奥部とを結ぶ接線よりも前面側に位置するように配置されていることを特徴とする請求項６記載の加熱調理器。
【請求項８】
前記加熱室にマイクロ波を供給するマイクロ波供給手段を備え、前記ヒーターガードの前記脚部の長さを、前記マイクロ波発生手段から発するマイクロ波の波長の４分の１以下としたことを特徴とする請求項６又は請求項７記載の加熱調理器。
【請求項９】
前記加熱室にマイクロ波を供給するマイクロ波供給手段を備え、前記ヒーターガードの前記ガード部のうち、前記ヒーターの長手方向と直交する方向に延びる部分を第１ガード部とし、前記ヒーターの長手方向に延びる部分を第２ガード部としたとき、前記第１ガード部の長さを、前記マイクロ波発生手段から発するマイクロ波の波長の４分の１以下とし、前記第２ガード部の長さを、３０ｍｍ以下としたことを特徴とする請求項６又は請求項７記載の加熱調理器。
【請求項１０】
前記加熱室にマイクロ波を供給するマイクロ波供給手段を備え、前記ヒーターガードの前記脚部の長さを、前記マイクロ波発生手段から発するマイクロ波の波長の４分の１以下とするとともに、前記前側ヒーターガードの前記ガード部のうち、前記ヒーターの長手方向と直交する方向に延びる部分を第１ガード部とし、前記ヒーターの長手方向に延びる部分を第２ガード部としたとき、前記第１ガード部の長さを、前記マイクロ波発生手段から発するマイクロ波の波長の４分の１以下とし、前記第２ガード部の長さを、３０ｍｍ以下としたことを特徴とする請求項６又は請求項７記載の加熱調理器。
【発明の詳細な説明】
【技術分野】
【０００１】
本発明は、加熱室内に加熱用ヒーターを備えた加熱調理器に関するものである。
【背景技術】
【０００２】
従来の加熱調理器では、天井壁と側壁と底面壁とから構成された加熱室と、加熱室の天井壁に設けた凹部によって構成され、食品を加熱するヒーターを収納するためのヒーター収納室と、前記食品を前記加熱室略中央に載置したとき、前記ヒーターから食品へ直接照射する熱線照射範囲から外れた位置に配置され、ヒーターの破損を保護するヒーターガードとを備えた構成となっている（例えば、特許文献１参照）。
【０００３】
また、加熱用ヒーターを備えた加熱調理器として、「食物を収容する加熱室と、前記食物を上部から加熱する上ヒーターと、前記加熱室内の空気を攪拌する循環ファンと、前記加熱室内の空気を加熱する後ろヒーターと、前記循環ファンと前記後ろヒーターを収納する循環ファン室と、前記加熱室が固定される底板と、前記底板には水を溜める水溜め部と、前記循環ファン室と前記加熱室は仕切板を介して仕切られており、前記仕切り板に、前記循環ファン室と前記加熱室とを連通する通風孔とを備え、前記仕切り板のフランジを前記加熱室と逆方向に曲げると共に、先端を上へ曲げた形状とし、前記底板に一部接触させないで固定したうえで前記水溜め部の壁面を前記仕切り板より前記加熱室側に設けた」ものもある（例えば、特許文献２参照）。
【０００４】
【特許文献１】特開２００２−７１１４４号公報
【特許文献２】特開２００５−１５５９２５号公報
【発明の開示】
【発明が解決しようとする課題】
【０００５】
しかしながら、上記特許文献１の技術ではヒーターガードとヒーター収納室の側壁面との隙間が大きく、例えば徳利のような先端部が細く鉛直方向に長い容器等を加熱室から出し入れする際に、使用者が意図せずして容器の上部先端をヒーターに接触させてしまうことがあった。徳利等がヒーターに強く接触した場合には、ヒーターが破損することがあり、破損したヒーター管の破片等が非加熱物に混入するという問題があった。
【０００６】
また、ターンテーブルや回転網等を出し入れの際も同様に、これらを庫内奥側から強くヒーターに接触させてしまうことがあり、このような場合もヒーターを破損させてしまうという問題があった。
【０００７】
これらに対し、上記特許文献２の技術では、各ヒーターを収納する循環ファン室と加熱室との間に仕切り板を設けているため、容器やターンテーブル等をヒーターに接触させてしまうことによるヒーター破損を防止することは可能であるが、ヒーターからの放射熱が仕切板によって吸収され、ヒーターの加熱効率を悪化させる不都合があり、これに加えて、組立工数の増加やコストアップ等が生じる問題があった。
【０００８】
本発明は、このような点に鑑みなされたもので、ヒーターの加熱効率の低下を招くことなく、容器やターンテーブル等との接触から保護してヒーターの破損を防止することが可能な加熱調理器を提供することを目的とする。
【課題を解決するための手段】
【０００９】
本発明に係る加熱調理器は、前面が開口する加熱室と、加熱室の天面壁に加熱室側に開口する凹部が形成され、凹部内にヒーターを収納するヒーター収納室と、ヒーター収納室内に収納される棒状のヒーターと、ヒーター収納室内に配置され、ヒーターを保護する２本の棒状のヒーターガードとを備え、各ヒーターガードのそれぞれは、ガード部とガード部の両端からほぼ垂直に延出しヒーター収納室の壁面に固定される一対の脚部とから構成されて全体コの字状に形成され、また、各ヒーターガードは、各ガード部がヒーターに略平行で且つヒーターをヒーターの長手方向に直交する方向に挟むように対向配置され、更に各ガード部がヒーターよりも下方に位置するように配置されているものである。
【発明の効果】
【００１０】
本発明によれば、ヒーターを保護する２本の棒状のヒーターガードを、ヒーターガードのガード部がヒーターに略平行で且つヒーターをヒーターの長手方向に直交する方向に挟んで対向するように配置し、更にガード部がヒーターよりも下方に位置するように配置したので、食器、容器類の接触やその他想定されるヒーターへの外部からの接触を防ぐことが可能である。また、単に２本のヒーターガードを配置するだけであるので、ヒーターの加熱損失の低下を招くことがない。
【発明を実施するための最良の形態】
【００１１】
実施の形態１．
図１は、本発明の実施の形態１の加熱調理器の斜視図である。図１には、加熱調理器の一例であるオーブンレンジを示している。
図１において、加熱調理器の外郭を形成する本体１には、天面、奥面、左右側面、底面を有し、前面に開口部を設けた加熱室２と、加熱室２の前面開口部を開閉自在に閉塞するためのドア３と、オーブンレンジ本体１の前面右側に配置され、調理メニューの決定、調理開始、調理取り消し等の操作を入力するためのキーを備えた操作部４とを有している。
【００１２】
図２は、図１の加熱調理器の長手方向（図１の左右方向）の断面図である。
加熱室２の側壁の側部の空間には、マイクロ波を発振して加熱室２内に供給するマイクロ波供給手段としてのマグネトロン１０と、マグネトロン１０の発振するマイクロ波を加熱室２内に拡散させるアンテナ１１と、マイクロ波を加熱室２の側壁に開口された給電口１２に導く導波管１３とが設けられており、マグネトロン１０から発振されたマイクロ波は、アンテナ１１で拡散された後、導波管１３内を経て給電口１２を介して加熱室２内に供給される。なお、給電口１２には、マイカ等の絶縁性をもった材料の仕切板が設けられ、塞がれた状態となっている。加熱室２内に供給されたマイクロ波は、被加熱物に照射され、これにより被加熱物内の水分子が摩擦振動を起こし、被加熱物が加熱される。
【００１３】
加熱室２の下方には、ターンテーブル２１を回転させるためのモーター２２が設置されている。モーター２２の回転軸２２ａは、回転体としての回転網２３の下面の中央部から突出した円筒状の支持部２３ａ内に嵌入されており、モーター２２の回転により、回転網２３とこの回転網２３の上に載置されたターンテーブル２１とが併せて回転する。これにより、被加熱物にムラなくマイクロ波が照射されるようになっている。また、加熱室２の上部には、加熱室２内の温度を上昇させるヒーター３１が設けられている。
【００１４】
ここで、実施の形態１は、ヒーター３１の破損を保護する構造に特徴を有するものであり、以下、ヒーターの設置部分周囲の構造について詳細に説明する。
【００１５】
図３は、図１の加熱調理器の奥行方向の断面図である。
加熱室２の天面壁２ａには、加熱室２側に開口する凹部が曲げ加工により形成され、ヒーターを収納するヒーター収納室３２が構成されている。ヒーター収納室３２は、加熱室２前面からみて左右方向に延びるように形成されており、その内部に、棒状のヒーター３１がヒーター収納室３２の左右壁面を貫通した状態で設置されている。
【００１６】
また、ヒーター収納室３２内には、ヒーター３１の破損を防止する目的で、ヒーター３１をその長手方向に挟んで対向するように前側ヒーターガード４１と奥側ヒーターガード５１とが配置されている。
【００１７】
図４は、ヒーターガードの形状を示しており、図４（ａ）は前側ヒーターガード４１、図４（ｃ）は奥側ヒーターガード５１を示している。
前側ヒーターガード４１は、金属製の棒状部材の両端を曲げ加工で折り曲げることにより全体としてコの字状に形成されてなり、ガード部４２とガード部４２の両端からほぼ垂直に延出する一対の脚部４３とから構成されている。棒状部材の材料には、曲げ加工性が良く、表面が腐食に強いという観点から例えばステンレス材が適している。ステンレス材で構成すれば、腐食等に強いため、容器などが接触したとしても、より長い期間良好にヒーターをガードすることが可能であり、また、食品を調理する加熱庫内を衛生的に保つことが可能となる。
【００１８】
前側ヒーターガード４１において、一対の脚部４３それぞれの先端側には、径を太く形成した当接部４４が設けられており、脚部４３において当接部４４と脚部４３の先端との間の外周部にはネジ溝が切られてネジ部４５となっている。
【００１９】
このように構成された前側ヒーターガード４１は、ガード部４２がヒーター３１に略平行となるようにして取り付けられている。前側ヒーターガード４１をヒーター収納室３２に取りつける際には、ヒーター収納室３２の天面壁３２ａに設けられた取付穴に、前側ヒーターガード４１の一対の脚部４３の先端を、各当接部４４が天面壁３２ａに当接するまで挿通させる。そして、天面壁３２ａから上方に突出した各脚部４３のネジ部にナット３３に螺合する。これより、前側ヒーターガード４１がヒーター収納室３２の天面壁３２ａに固定される。
【００２０】
一方、奥側ヒーターガード５１も、前側ヒーターガード４１とほぼ同様の構成を有し、ガード部５２とガード部５２の両端からほぼ垂直に延出する一対の脚部５３とから構成され、また、脚部５３には当接部５４及びネジ部５５が設けられている。前側ヒーターガード４１と奥側ヒーターガード５１の違いは脚部５３の形状であり、前側ヒーターガード４１の脚部４３は直線状であるのに対して、奥側ヒーターガード５１の脚部５３は、くの字に曲げられた形状を成している。これは以下に説明するヒーターガードの配置条件を満足するための構造として採用したものである。なお、奥側ヒーターガード５１も、前側ヒーターガード４１と同様の方法でヒーター収納室３２の天面壁３２ａに取り付けられている。
【００２１】
次に、両ヒーターガードの配置位置について説明する。図５は、両ヒーターガードの配置位置を説明する要部断面図である。
前側ヒーターガード４１は、ヒーター３１の中心軸と垂直な面Ｐよりも前面側に取り付けられており、前側ヒーターガード４１のガード部４２とヒーター収納室３２の前面側の側壁面３２ｂとの最近接距離Ｂは、調理時に使用される容器類が手前側ヒーターガード４１と側壁面３２ｂとの間の隙間に進入できない間隔に設定されている。
【００２２】
ここで、オーブンレンジで調理を行う際に使用される容器の中でも、徳利の形状が最も隙間に進入しやすいことから考えて、距離Ｂは、標準的な一合徳利の外径Ｃよりも短い距離となるように設定する。外径Ｃは、おおよそ３０ｍｍ弱のものが多いことから、つまりＢ≦３０ｍｍとなるように各部の設計が成されている。これにより前記隙間から容器類が進入してヒーター３１に直接接触するのを防止することができ、ヒーター３１への容器類の接触によるヒーター３１の破損を防止することが可能となる。
【００２３】
また、奥側ヒーターガード５１は、ヒーター３１の中心軸と垂直な面Ｐよりも奥側に取り付けられており、奥側ヒーターガード５１のガード部５２が、ヒーター３１の外周と回転網２３の最奥部とを結ぶ接線Ｄ（図３参照）よりも前面側に位置するように配置されている。このため、図６に示すように回転網２３やターンテーブル２１を取り外す際に、回転網２３等がヒーター３１にその奥側から接触する前に奥側ヒーターガード５１が接触することになり、回転網２３等の接触によるヒーター３１の破損を防止することが可能となっている。また、奥側ヒーターガード５１とヒーター収納室３２の奥面側の側壁面３２ｃとの隙間からの容器類の進入は使用状況から考えて想定しづらく、この間隔に関しては定義する必要はない。
【００２４】
また、ここで図５に示すように前側ヒーターガード４１のガード部４２と奥側ヒーターガード５１のガード部５２との間隔Ａは、調理時に使用される容器類が進入できない間隔に設定され、その間隔Ａは、前記徳利の外径寸法Ｃとの関係から、Ａ≦３０ｍｍ＝Ｃとなるように設定される。その条件を満足するために、本例では、奥側ヒーターガード５１の脚部４３がくの字状に曲げ加工されている。さらに、両ヒーターガード４１，５１間でのスパークの発生を防止する目的から、間隔Ａの寸法は５ｍｍ以上とし、５ｍｍ≦Ａ≦３０ｍｍとなるように、両ヒーターガード４１，５１を配置する。この条件を満たす位置に、両ヒーターガード４１，５１を配置することによって、ヒーターガード４１，５１間からの容器類の進入を防止し、ヒーター３１の破損を防ぐことが可能となる。また、両ヒーターガード４１，５１間においてスパークの発生を防止することができる。
【００２５】
次に、図４に戻り、前側ヒーターガード４１及び奥側ヒーターガード５１の寸法について説明する。前側ヒーターガード４１及び奥側ヒーターガード５１は直径が２〜３（ｍｍ）の棒状であり、ヒーター３１と平行するガード部４２，５２の長さＬの寸法は、高周波加熱時において前側ヒーターガード４１及び奥側ヒーターガード５１がアンテナとして作用しないように以下の様に設定する。
【００２６】
マイクロ波は正弦波を成し、その波長λは約１２２ｍｍであり、その２分の１波長（１／２・λ）（６１ｍｍ）の箇所が最も電界の強い強電解部となる。この特性を有するマイクロ波は、長さが１／２・λ・ｎ（ｎ＝１，２，３，・・）のアンテナに集中する。一方、長さが１／４・λ・ｍ（ｍ：奇数＝１，３，５，・・）の箇所は電界が弱くなり、マイクロ波は最も集中しない。したがって、Ｌ寸法を波長λの１／４の奇数倍（１／４・λ・ｍ）に設定すれば、マイクロ波が前側ヒーターガード４１及び奥側ヒーターガード５１のガード部４２，５２に集中することがない。すなわち前側ヒーターガード４１及び奥側ヒーターガード５１のガード部４２，５２がアンテナとして作用することがなく、被加熱物を加熱するエネルギーであるマイクロ波のロスを小さくすることができ、マイクロ波加熱の際の加熱効率を良好に保つことができる。
【００２７】
また、脚部４３，５３の高さＨについても、Ｌ寸法と同様に１／２・λ・ｎ（ｎ＝１，２，３・・）のアンテナとならないように設定する。即ち、３ｍｍ＜Ｈ≦１／４λに設定すれば、マイクロ波が前側ヒーターガード４１及び奥側ヒーターガード５１の脚部４３，５３に集中することがない。なお、前側ヒーターガード４１及び奥側ヒーターガード５１の外径はここでは３ｍｍとしており、このためＨの下限値が３ｍｍとなっている。このように設計することにより、前側ヒーターガード４１及び奥側ヒーターガード５１の脚部４３，５３がアンテナとして作用するのを防止でき、被加熱物を加熱するエネルギーであるマイクロ波のロスを防止することができ、マイクロ波加熱の際の加熱効率を良好に保つことができる。
【００２８】
このように本実施の形態１によれば、前側ヒーターガード４１及び奥側ヒーターガード５１を、ガード部４２，５２がヒーター３１に略平行で且つヒーター３１をヒーター３１の長手方向に直交する方向に挟んで対向するように配置し、更にガード部４２，５２がヒーター３１よりも下方に位置するように配置したので、食器、容器類の接触やその他想定されるヒーター３１への外部からの接触を防ぐことが可能となる。また、ヒーター３１を保護するにあたり、単に２本のヒーターガードを設置すれば良いため、取り付けが簡単で、且つ生産性を維持しながらコストを低く抑えることが可能となる。また、従来の仕切板を設ける場合に比べてヒーターの放射熱をロスしないため、ヒーター３１の加熱効率を良好に保つことができる。このように、実施の形態１によれば、オーブンレンジとしてのヒーター加熱性能を落とすことなく、安全性を向上させることが可能である。
【００２９】
また、ヒーター収納室３２の前面側の側壁面３２ｂと、前側ヒーターガード４１のガード部４２との最短距離が３０ｍｍ以下となるように設定し、また、奥側ヒーターガード５１のガード部５２が、ヒーター３１の外周と加熱室２の底部に着脱自在に設けられる回転網２３の最奥部とを結ぶ接線Ｄよりも前面側に位置するように配置し、更に前側ヒーターガード４１と奥側ヒーターガード５１の間隔を、３０ｍｍ以下となるように設定したので、徳利のような先端部が細い形状の容器の接触や、その他想定されるヒーター３１への外部からの接触を、より確実に防ぐことが可能である。
【００３０】
また、前側ヒーターガード４１及び奥側ヒーターガード５１のガード部４２，５２の長さＬを、マグネトロン１０から発するマイクロ波の波長の４分の１の略奇数倍としたので、加熱時にガード部４２，５２付近に電界が集中するのを防止できる。従って、効率の良いマイクロ波加熱を行うことができ、オーブンレンジとしてのレンジ加熱性能を落とすことなく、安全性を向上させることが可能である。
【００３１】
また、前側ヒーターガード４１及び奥側ヒーターガード５１の脚部４３，５３の長さＨを、マグネトロン１０から発するマイクロ波の波長の４分の１以下としたので、上記と同様に加熱時に脚部４３，５３付近に電界が集中するのを防止できる。従って、効率の良いマイクロ波加熱を行うことができ、オーブンレンジとしてのレンジ加熱性能を落とすことなく、安全性を向上させることが可能である。
【００３２】
また、本例のように前述のＬ寸法及びＨ寸法を共に満足した前側ヒーターガード４１及び奥側ヒーターガード５１を設置することにより、マイクロ波がガード部４２，５２及び脚部４３，５３に集中するのを防止できる。つまりは前側ヒーターガード４１及び奥側ヒーターガード５１によってヒーター３１の保護を図るに際し、これらがアンテナとして作用してマイクロ波を吸収してしまうのを防止でき、加熱効率を低下させることなく良好なマイクロ波加熱を行うことが可能である。
【００３３】
実施の形態２.
次に、本発明の実施の形態２を説明する。なお、以下の図において実施の形態１と同一部分には同一の符号を付し、説明は省略する。
【００３４】
図７は、実施の形態２の加熱調理器としてのオーブンレンジの奥行方向の断面図、図８は、本実施の形態２のヒーターガードを示す図である。実施の形態１では、ヒーターガードを２本、庫内に設置していたが、本実施の形態２ではヒーターガードを１本とし、１本のヒーターガードでありながらヒーター３１の保護範囲を広げることを可能としたものである。
【００３５】
ヒーターガード６１は、実施の形態１のヒーターガード４１，５１と同様に金属製の棒状部材の両端を曲げ加工で折り曲げることにより形成されるもので、棒状部材をコの字状に交互に逆向きに折り曲げて形成されたガード部６２と、ガード部６２の両端からほぼ垂直に延出する一対の脚部６３とから構成されて全体ほぼコの字状に形成されており、また、脚部６３には当接部６４及びネジ部６５が設けられている。なお、以下では、ヒーターガード６１のガード部６２において、ヒーター３１の長手方向と直交する方向に延びる部分を第１ガード部６２ａと呼び、ヒーター３１の長手方向に延びる部分を第２ガード部６２ｂと呼ぶことにする。
【００３６】
ここで、図７を用いてヒーターガードの配置について説明する。ヒーターガード６１の第２ガード部６２ｂのうち、手前側の第２ガード部６２ｂａとヒーター収納室３２の前側壁面３２ｂとの最近接距離Ｂ２は、実施の形態１と同様に、例えば標準的な一合徳利等の容器類が進入出来ない寸法（３０ｍｍ以下）とする。これにより、ヒーターガード６１の第２ガード部６２ｂａと、ヒーター収納室３２の前側壁面３２ｂとの隙間に容器類が進入するのを防止でき、ヒーター３１への容器類の接触による破損を防止することができる。
【００３７】
また、ヒーターガード６１の第２ガード部６２ｂのうち、奥側の第２ガード部６２ｂｂは、ヒーター３１の中心軸と垂直な面Ｐよりも奥面側に位置し、かつヒーター３１の外周と回転網２３の最奥部とを結ぶ接線Ｄよりも前面側に位置するように配置されている。このため図９に示すように回転網２３やターンテーブル２１を取り外す際に、回転網２３等がヒーター３１にその奥側から接触する前に第２ガード部６２ｂｂが接触し、回転網２３等がヒーター３１に接触するのを防止することができる。また、ヒーターガード６１の第２ガード部６２ｂｂとヒーター収納室３２の奥面側の側壁面３２ｃとの間隔からの容器類の進入は使用状況から考えて想定しづらく、この間隔に関しては定義する必要はない。
【００３８】
次に、ヒーターガード６１の寸法について説明する。ヒーターガード６１の第１ガード部６２ａの長さＳ１は、マイクロ波の電界が集中しないような寸法とし、即ち３ｍｍ＜Ｓ１＜１／４・λとする。なお、ヒーターガード６１の外径は、上記と同様にここでは例えば３ｍｍとしていることから、下限値を３ｍｍとしている。
【００３９】
また、第１ガード部６２ａは、実施の形態１で説明した容器類が進入しない間隔で設けられており、第１ガード部６２ａ同士の間隔、すなわち第２ガード部６２ｂの長さＳ２の寸法は３０ｍｍ以下とする。つまり、Ｓ２≦３０ｍｍであり、かかる寸法を採用することにより、ガード部６２内の隙間から容器類が進入することが極力防止され、ヒーター３１に容器類が接触することによる破損を防止することができる。また、第１ガード部６２ａと同様に第２ガード部６２ｂの長さも、マイクロ波の波長λに対して１／４・λ以下とすることにより、マイクロ波の電界がヒーターガード６１のカード部６２に集中するのを防止でき、マイクロ波加熱の際に、良好な加熱効率を保つことができる。
【００４０】
また、脚部６３の高さＨは、上記実施の形態１と同様に１／２・λ・ｎ（ｎ＝１，２，３・・）のアンテナとならないように設定する。即ち、３ｍｍ＜Ｈ≦１／４・λに設定する。これにより、マイクロ波がヒーターガード６１の脚部６３に集中することがなく、マイクロ波のロスを防止することができる。よってマイクロ波加熱の際の加熱効率を良好に保つことができる。
【００４１】
このように、本実施の形態２によれば、実施の形態１と略同様の作用効果が得られるとともに、ヒーターガードを１本としたので、取りつけが簡易化でき、生産性を維持しながらコストをより低く抑えることが可能となる。また、仕切板を設ける場合に比べてヒーターの放射熱をロスしないため、ヒーターの加熱効率を良好に保つことができ、加熱調理器としてのヒーター加熱性能を落としてしまうことなく、安全性を向上させることが可能である。
【図面の簡単な説明】
【００４２】
【図１】本発明の実施の形態１の構成を示す加熱調理器の斜視図である。
【図２】本発明の実施の形態１の加熱調理器の長手方向の断面図である。
【図３】本発明の実施の形態１の加熱調理器の奥行方向の断面図である。
【図４】本発明の実施の形態１のヒーターガードの形状を示す図である。
【図５】本発明の実施の形態１のヒーターガードの配置位置を説明する要部断面図である。
【図６】本発明の実施の形態１において、回転網等の取り外し時に回転網等がヒーターにその奥側から接触するのを防止することが可能であることを示す図である。
【図７】本発明の実施の形態２の構成を示す加熱調理器の奥行方向の断面図である。
【図８】本発明の実施の形態２のヒーターガードを示す図である。
【図９】本発明の実施の形態２において、回転網等の取り外し時に回転網等がヒーターにその奥側から接触するのを防止することが可能であることを示す図である。
【符号の説明】
【００４３】
１  オーブンレンジ本体、２  加熱室、２ａ  天面壁、４  操作部、１０  マグネトロン、１１  アンテナ、１２  給電口、１３  導波管、２１  ターンテーブル、２２  モーター、２２ａ  回転軸、２３  回転網、２３ａ  支持部、３１  ヒーター、３２  ヒーター収納室、３２ａ  天面壁、３２ｂ  側壁面、３２ｃ  側壁面、３３  ナット、４１  前側ヒーターガード、４２  ガード部、４３  脚部、４４  当接部、４５  ネジ部、５１  奥側ヒーターガード、５２  ガード部、５３  脚部、５４  当接部、５５  ネジ部、６１  ヒーターガード、６２  カード部、６２ａ  第１ガード部、６２ｂ  第２ガード部、６２ｂａ  手前側の第２ガード部、６２ｂｂ  奥側の第２ガード部、６３  脚部、６４  当接部、６５  ネジ部。
【図１】
2008106962.tif 000003
【図２】
2008106962.tif 000004
【図３】
2008106962.tif 000005
【図４】
2008106962.tif 000006
【図５】
2008106962.tif 000007
【図６】
2008106962.tif 000008
【図７】
2008106962.tif 000009
【図８】
2008106962.tif 000010
【図９】
2008106962.tif 000011